(57)【要約】  本発明は、あらゆる電力削減の「公平な分配」を備え、「シーソー」効果のない、段階的で、迅速な収束方法で、正確に目標消費量レベルに到達するために、制御装置３０と機器又は負荷２０−１乃至２０−ｎとの間のブロードキャスト媒体、及びシステムの現在の総電力消費量についての情報しか必要としない、制御システムによって電力分配を制御するための方法及び装置に関する。
2015530070.tif 000002
【特許請求の範囲】
【請求項１】
複数の負荷装置の電力供給を制御するための装置であって、前記複数の負荷装置の総電力消費量を決定し、決定された前記総電力消費量と目標値の比較に基づいて電力変更情報を備える電力変更コマンドを生成し、前記複数の負荷装置の所望の電力値の合計及び前記目標値のうちのより低い値に向けて収束する段階的なプロシージャにおいて、前記電力変更コマンドを通信媒体を介して前記複数の負荷装置にブロードキャストするよう適応されている装置。
【請求項２】
前記電力変更コマンドを、最初のステップにおいて、前記総電力消費量を前記目標値未満に変更し、その後、各ステップが前のステップにおける総電力消費量より高い総電力消費量をもたらすようにして前記目標値に向けて収束する段階的なプロシージャにおいて、前記総電力消費量を現在値から前記目標値へ削減するように、生成するよう適応される請求項１に記載の装置。
【請求項３】
前記電力変更コマンドを、各ステップが前のステップにおける総電力消費量より高い総電力消費量をもたらすようにしてより高い目標値に向けて収束する、又は連続した２つのステップが同等の電力消費量をもたらす場合に停止する段階的なプロシージャにおいて、前記総電力消費量を、前記より高い目標値へ増加させるように、生成するよう適応される請求項１に記載の装置。
【請求項４】
前記段階的なプロシージャの少なくとも２つの最近のステップの前記電力変更情報及び結果として生じる総電力消費量についての情報を維持するよう適応される請求項１に記載の装置。
【請求項５】
前記総電力消費量が、所定の精度要件を満たすために前記目標値に十分に近いかどうかをチェックするよう適応される請求項１に記載の装置。
【請求項６】
２つの連続するステップの間の前記電力変更情報の変更量を、所定のしきい値までに制限するよう適応される請求項１に記載の装置。
【請求項７】
請求項１に記載の装置を有する電力制御装置。
【請求項８】
ａ．請求項１に記載の装置を有する少なくとも１つの電力制御装置と、
ｂ．複数の負荷装置と、
ｃ．前記電力制御装置が前記電力変更コマンドを前記複数の負荷装置にブロードキャストすることを可能にする通信媒体とを有するシステム。
【請求項９】
複数の負荷装置の電力供給を制御する方法であって、
ａ．前記複数の負荷装置の総電力消費量を決定するステップと、
ｂ．決定された前記総電力消費量と目標値の比較に基づいて電力変更情報を備える電力変更コマンドを生成するステップと、
ｃ．前記複数の負荷装置の所望の電力値の合計及び前記目標値のうちのより低い値に向けて収束する段階的なプロシージャにおいて、前記電力変更コマンドを通信媒体を介して前記複数の負荷装置にブロードキャストするステップとを有する方法。
【請求項１０】
前記電力変更コマンドが、最初のステップにおいて、前記総電力消費量を前記目標値未満に変更し、その後、各ステップが前のステップにおける総電力消費量より高い総電力消費量をもたらすようにして前記目標値に向けて収束する段階的なプロシージャにおいて、前記総電力消費量を現在値から前記目標値へ削減するように、生成される請求項９に記載の方法。
【請求項１１】
前記段階的なプロシージャの各ステップが、前記前のステップにおける総電力消費量より高い総電力消費量をもたらし、又は連続した２つのステップが同等の電力消費量をもたらす場合に停止する請求項９に記載の方法。
【請求項１２】
前記電力変更コマンドの受信に応じて、前記複数の負荷装置における電力消費量レベルを、前記負荷装置の所望の電力消費量レベル、及び前記電力変更情報に従って削減される前記負荷装置の最大電力消費量レベルのうちの最低値に等しい値に設定するステップを更に有する請求項９に記載の方法。
【請求項１３】
前記総電力消費量が、所定の精度要件を満たすために前記目標値に十分に近いかどうかをチェックするステップを更に有する請求項９に記載の方法。
【請求項１４】
２つの連続するステップの間の前記電力変更情報の変更量を、所定のしきい値までに制限するステップを更に有する請求項９に記載の方法。
【請求項１５】
コンピュータデバイスにおいて走らせる場合に請求項９に記載のステップをもたらすためのコード手段を有するコンピュータプログラム。
【発明の詳細な説明】
【技術分野】
【０００１】
本発明は、ネットワーク接続（例えば、イーサネット（登録商標）接続）を介して電力供給を制御する装置の分野に関する。更に、本発明は、電力制御装置と、前記電力制御装置、複数の負荷装置及び通信媒体を有するシステムとに関する。本発明は、更に、対応する方法と、対応するコンピュータプログラムとに関する。
【背景技術】
【０００２】
電力供給網において、需要応答は、とりわけピーク需要の期間における、供給条件に応じた需要側（需要家領域）の管理を指す。負荷制限は、一時的に、需要家において、電化製品（即ち、負荷）の電力消費量を削減する一種の需要応答アプリケーションである。一般的な例は、照明の減光、ＨＶＡＣ（暖房、換気及び空調）のセットポイントの減少、又は家電装置の省エネルギモードの使用である。従って、負荷制限は、電力会社が、利用可能な発電を上回る大きな電力需要があるときに、前記電力会社の需要家に、行うことを望むものである。
【０００３】
需要応答は、簡単には、機器の手動制御によって実現され得るが、（管理ステーションからの）集中制御が、明らかに有利である。中央制御のためには、中央制御装置（例えば、建物管理ステーション）と、機器との間の通信が必要とされる。
【０００４】
需要応答は、「ベストエフォート」方式で行われることができるが、非常に正確な削減を必要とする状況もあり得る。このような状況は、需要応答供給元（例えば、需要家）と受け手（例えば、電力会社）との間の契約、又は単に、例えば、（例えば、減光による）関連するユーザの快適さの低下は最小限にされるべきであることから、削減を「必要とされるもの」に限定するという目標であり得る。正確な消費量削減は、機器の正確な動作状態情報が利用可能であり、且つ／又は機器が、必要とされるコマンドパラメータを決定するために中央制御装置ホスティング関連プログラムによって個々に制御されることができる場合に、達成され得る。しかしながら、これは、理想的な場合である。多くの制御システムは、これらのきめの細かい能力の少なくとも一部を欠いている。一般的な制約は、個々の機器の状態が分からないこと、即ち、全システムが「ブラックボックス」のように見えること、又は機器の個々のアドレス指定がないこと、即ち、全ての機器が同じコマンドを受け取ることである。
【０００５】
このような制約のあるシステムのための従来の解決策は、一様な制限、又はUS2010/0117620A1において照明負荷のために記載されているような、制限の効果、即ち、制限コマンド後のシステムの消費量を測定し、消費量削減が（依然として）不十分である場合には、次のレベルまで制限し、目標を下回る消費量レベルに到達しているが、消費量レベルを目標に近づけるべきである場合には、消費量レベルが、再度、例えば、最後の2つの制限の中間のレベルまで、増やされ得る、（ブロードキャストコマンドを介した）予めプログラムされたレベルまでの段階的制限を含む。
【０００６】
しかしながら、上記のような制約のあるシステムにおいては、システムが、システム電力消費量を、必要とされるより多く削減する場合に、「行き過ぎ」が生じるかもしれず、これは、（例えば、照明を減光する場合に）ユーザの快適さが必要以上に低下させられる望ましくない効果をもたらし得る。更に、目標消費量が、１つの手順における消費量の引き上げ及び引き下げによって達成される場合には、所謂「シーソー」効果が生じるかもしれず、これは、（例えば、照明を減光する場合に）ユーザの快適さに著しく影響を及ぼし得る。更に、「不公平な分配」に直面し得る。（機器の最大電力消費量に関して）相対電力レベルを見ると、全ての機器に等しく負荷変更を分配することは不公平である。既に低い消費量レベルにある負荷が、それでも、更に制限しなければならなくなるだろう。このような場合には、まず、高い消費量レベルにある負荷を減らすことが望ましいだろう。
【発明の概要】
【発明が解決しようとする課題】
【０００７】
本発明の目的は、制約のあるシステムにおける、高速で、ユーザフレンドリで、正確な電力消費量適応を備える電力制御を提供することである。
【課題を解決するための手段】
【０００８】
この目的は、請求項１に記載の装置、請求項７に記載の電力制御装置、請求項８に記載のシステム、請求項９に記載の方法、及び請求項１５に記載のコンピュータプログラムによって達成される。
【０００９】
従って、（最も高い消費量レベルにある負荷がまず削減されるという意味において）「公平な分配」を備え、「シーソー」効果のない、段階的で、迅速な収束方法で、（たとえどんな精度が必要とされようとも目標に近づくという意味において）正確に目標消費量レベルに到達するよう制御するために、電力制御装置と負荷装置（例えば、機器）との間のブロードキャスト媒体、及びシステム（即ち、全負荷装置）の現在の総電力消費量についての情報しか必要としない、制御システムのための自動負荷制限方法を提案する。
【００１０】
前記電力制御装置は、現在の電力消費量及び目標電力消費量を知ると、電力変更情報（例えば、パーセンテージ（又は類似の）値又は比率又は（符号化）レベルなど）を含む「トリム」コマンドを全ての負荷装置にブロードキャストする。前記負荷装置は、前記電力トリムコマンドを受信すると、前記負荷装置の所望の電力レベル、例えば、エンドユーザによって設定された電力レベル、及び前記電力変更情報に従って削減される前記負荷装置の最大電力消費量のうちの最低値に等しい電力レベルに進む。トリムレベルコマンドの受信時の上記の反応は、例えば、IEC62386-102, Digital addessable lighting interface - Part 102: General requirements - control gear. Page 19-20, Section 9.4に記載されている。
【００１１】
前記電力制御装置は、前記現在の消費量が（たとえどんな精度が必要とされようとも満たす）前記目標消費量又は目標値に十分に近くなるまで「トリムステップ」を繰り返し得る。前記電力制御装置は、前記総電力消費量レベルが、前記目標レベルに向けて（常に減少する）一方向に、迅速に収束するようにして、前記トリム値を計算し得る。他の例においては、前記電力制御装置は、前記総電力消費量レベルが、最初のステップにおいて、直ちに、前記目標値未満に下がり、その後、前記目標レベルに向けて（常に増加する）一方向に、迅速に収束するようにして、前記電力トリムコマンドを計算し得る。
【００１２】
前記総電力消費量が、その後の要求において更に削減されるべきである場合には、前記段階的なプロシージャが、再び適用され得る。
【００１３】
提案する解決策は、電力トリムコマンド後に消費量削減を緩和する、即ち、現在の（トリムされた）電力消費量レベルより高い電力消費量レベルに進む又は設定する要求も可能にする。
【００１４】
定義によれば、「所望の電力消費量レベル」（即ち、全負荷装置の所望の電力レベルの合計）は、システム電力消費量の所定のレベル（例えば、上限）を供給する。提案する解決策によれば、前記電力制御装置は、要求に適切に対処するために前記「所望の電力消費量レベル」を知る必要はない。前記電力制御装置は、連続したステップが前記システムの同じ総電力消費量をもたらすことを検出することによって、前記システムが、前記所望の電力消費量レベルに到達したこと（及び例えば、この場合に一連のトリムステップを停止したこと）を認識し得る。オプションとして、前記電力制御装置は、前記総電力消費量が、所定の精度要件を満たすために前記目標値に十分に近いかどうかをチェックし得る。別のオプションとして、前記電力制御装置は、２つの連続するステップの間の前記電力変更情報の変更量を、所定のしきい値までに制限し得る。
【００１５】
前記電力制御装置の上記の装置及び前記負荷装置は、各々、ディスクリートハードウェア回路又は集積回路又は複数のチップ若しくはチップセット、又は上記の１つ若しくは複数の機能を実施するようプロセッサを制御するためのソフトウェアルーチンとして実施され得ることに注意されたい。
【００１６】
請求項１の装置、請求項７の電力制御装置、請求項８のシステム、請求項９の方法、及び請求項１５のコンピュータプログラムを決定する内容は、とりわけ、従属請求項において規定されているような、同様の且つ／又は同じ好ましい実施例を持つことを理解されたい。
【００１７】
本発明の好ましい実施例は、従属請求項と各々の独立請求項のあらゆる組み合わせであり得ることは理解されるだろう。
【００１８】
下記の実施例を参照して、本発明のこれら及び他の態様を説明し、明らかにする。
【図面の簡単な説明】
【００１９】
【図１】様々な実施例によるシステムアーキテクチャの概略的なブロック図を示す。
【図２】様々な実施例において用いられる所定のプロシージャ１による電力レベル制御プロシージャのフローチャートを示す。
【図３】第３実施例による電力レベル制御プロシージャのフローチャートを示す。
【発明を実施するための形態】
【００２０】
ここで、複数の機器又は他の負荷装置の電力消費量を、各機器に電力トリムコマンドをブロードキャストすることを可能にする通信媒体を介して制御するためのシステムに基づいて、実施例を説明する。
【００２１】
図１は、以下の実施例が実施され得る電力制御システムのネットワークアーキテクチャの概略的なブロック図を示している。システムは、制御装置３０と、複数の機器２０−１乃至２０−ｎと、制御装置３０及び機器２０−１乃至２０−ｎを、制御装置が電力変更情報（例えば、パーセンテージ、比率又は（符号化）レベル）を含む電力トリムコマンドｔを全ての機器２０−１乃至２０−ｎにブロードキャストすることができるように、接続する通信媒体又はネットワーク１０とを有する。更に、制御装置３０は、例えば、関連電力メーターとの接続、又は（通信ネットワーク１０から制御装置３０へのフィードバック矢印によって示されている）関連電力情報へのアクセスに基づいて、システムの（即ち、全ての機器の）現在の総電力消費量を決定することが可能である。従って、制御装置３０は、システムの現在の（総）電力消費量値を決定することができる、又はシステムの現在の（総）電力消費量値についての知識を有する。
【００２２】
電力制御目的のため、制御装置３０は、パーセンテージ値（又は比率若しくはレベルなどの他の種類の電力変更情報）を含む電力トリムコマンドｔを全ての機器２０−１乃至２０−ｎにブロードキャストする。各機器２０−１乃至２０−ｎは、「所望の電力消費量レベル」（例えば、エンドユーザによって設定された電力消費量レベル）を維持し、トリムコマンドを受信すると、機器は、その所望の電力レベル、及び（トリムコマンドの）前記パーセンテージ値と機器の最大電力消費量の積のうちの最低値に等しい電力レベルに進む又は設定する。
【００２３】
本発明の下記の実施例は、システムの消費量が、上で規定されているような「シーソー」効果なしに、「公平な分配」で、迅速に、「一方向」に、目標レベルに収束するようにして、システムの現在の電力消費量から目標電力消費量へ変更することを可能にする。
【００２４】
以下において、図２及び３に基づいて、第１乃至第４実施例による提案システムの、制御装置３０及び機器２０−１乃至２０−ｎ又は他の負荷装置のより詳細な実施例を記載する。
【００２５】
図２は、以下においてプロシージャ１と呼ばれる電力制御プロシージャのフローチャートを示している。それは、現在のシステム電力消費量Ｐｃ及び（システムが進むよう要求される）目標システム電力消費量Ｐｔを持つシステムを、以下の方法で新しいシステム電力消費量Ｐｎに導くのに適している。
【００２６】
制御装置３０は、Ｐｃ及びＰｔの値、並びにシステム内の全てのランプの最大電力消費量の合計以上である値Ｐｂを知っていると仮定する。ステップＳ２０１において、制御装置３０は、システムに適用された最後のトリム値、又はとトリムされてないシステムの場合には値「１」に対応する「現在のトリム値」を決定し、それは、現在のシステム電力消費量Ｐｃを決定する。ステップＳ２０２において、制御装置は、（例えば、｜Ｐｃ−Ｐｔ｜＜Ｔである場合には精度要件が満たされるようなしきい値Ｔによって規定される）現在の電力消費量Ｐｃが目標消費量に十分に近いかどうかをチェックする。そうである場合には、プロシージャは停止する。そうでない場合には、ステップＳ２０３において、制御装置３０は、ｔｎ＝ｔｃ−（Ｐｃ−Ｐｔ）／Ｐｂによって「新しいトリムレベル」ｔｎを計算する。次のステップＳ２０４において、制御装置３０は、「新しいトリムレベル」ｔｎを備えるトリムコマンドを全ての機器２０−１乃至２０−ｎにブロードキャストする。
【００２７】
機器は、規定された方法でトリムコマンドに反応し、これは、新しいシステム電力消費量Ｐｎをもたらす。既述のように、ステップＳ２０１乃至Ｓ２０３は、プロシージャ１と呼ばれる。プロシージャ１は、以下の２つのケースが組み合され得る又は別々に実施され得る以下の２つの実施例において、即ち、１）Ｐｃ＞Ｐｔの場合に単調なようにして下げる実施例、及び２）Ｐｃ＜Ｐｔの場合に単調なようにして上げる実施例において用いられる。第１実施例においては、ａ）ステップ２０１に記載されている基準、ｂ）プロシージャ１が用いられた回数が或るしきい値に達した、又はｃ）プロシージャ１の２回の最近の適用において、結果として生じるシステム電力消費量が、等しいが、目標値Ｐｔ未満である、という停止基準のうちの１つ以上が満たされるまで、プロシージャ１が繰り返し用いられる。
【００２８】
第１実施例では、最初のシステム電力消費量がＰｔを超えている場合には、プロシージャ１のどの適用でも、システム電力消費量が減らされること、及び繰り返しステップ数における制限がない場合、しきい値は、任意の所望の精度まで近づけられ得ることは明らかである。最初のシステム電力消費量がＰｔより小さい場合には、２つの可能性がある。Ｐｄは、機器２０−１乃至２０−ｎの所望の電力消費量の合計を示す。Ｐｄが、Ｐｔ以上である場合には、どの繰り返しでも、システム電力消費量を増やし、繰り返し回数における制限がない場合は、しきい値は、任意の精度まで近づけられ得る。Ｐｄが、Ｐｔ未満である場合には、システム電力消費量が値Ｐｄに到達するまで、どの繰り返しでも、システム電力消費量を増やし、その後の繰り返しは、システム電力消費量において全く変化をもたらさない。第１実施例の実施においては、ＰｄがＰｔ未満であるか否かが既知である必要はなく、上記の停止基準ｃ）が、両方のケースにおいて適切な挙動が確実に達成されるようにする。
【００２９】
第２実施例においては、電力消費量Ｐｃが目標電力消費量Ｐｔを超えている場合には、中央制御装置が、トリム値ｔ＝Ｐｔ／Ｐｂを送信する。機器２０−１乃至２０−ｎは、規定されているようにしてそれに反応する。その後、第１実施例のプロシージャが、システムのこの新しい設定に、どの繰り返しにおいても停止基準ｃ）なしで、適用される。しかしながら、チェックは随意に追加され得る。
【００３０】
第２実施例によれば、最初のトリムレベル値ｔ＝Ｐｔ／Ｐｂの送信後、システム電力消費量はＰｔ以下になる。その後、どの繰り返しでも、システム電力消費量は増え、無制限の回数の繰り返しにより、Ｐｔは任意の精度まで近づけられ得る。
【００３１】
以下の第３及び第４実施例においては、制御装置３０は、（プロシージャ２と呼ばれる）他のプロシージャにおける使用のために最後の２つのトリミングステップについての知識を維持する。これらの実施例は、第１及び第２実施例より少ない繰り返しで、所与の精度内で目標レベルに到達することを可能にする。
【００３２】
図３は、第３実施例のフローチャートを示している。ステップＳ３０１において、制御装置３０は、Ｐｃ＜Ｐｔであるかどうかをチェックする。そうでない場合には、プロシージャは停止する。Ｐｃ＜Ｐｔである場合には、ステップＳ３０２において、制御装置３０は、新しいトリムレベルｔｎ＝ｔｃ−（Ｐｃ−Ｐｔ）／Ｐｂを計算し、この新しいトリムレベルを機器２０−１乃至２０−ｎにブロードキャストする。ステップＳ３０３において、機器２０−１乃至２０−ｎは、規定されているようにして反応する。ステップＳ３０４において、制御装置３０は、Ｐｐの値をＰｃに設定し、ｔｐの値をｔｃに設定する。ステップＳ３０５において、制御装置３０は、ｔｃの値をｔｎに設定する。ステップＳ３０６において、制御装置３０は、システム電力消費量を測定し、Ｐｃの値を前記測定されたシステム電力消費量に設定する。ステップＳ３０７において、制御装置３０は、ＰｃがＰｔに十分に近いかどうか、又はＰｐがＰｃと等しいかどうかをチェックする。この基準の一方又は両方が満たされる場合、プロシージャは停止する。停止基準のいずれも満たされない場合には、ステップＳ３０８において、制御装置３０は、ｚ＝（Ｐｐ−Ｐｃ）／（ｔｐーｔｃ）として数ｚを計算し、新しいトリムレベルｔｎ＝ｔｃ−（Ｐｃ−Ｐｔ）／ｚを計算し、この新しいトリムレベルを機器２０−１乃至２０−ｎにブロードキャストする。ステップＳ３０９において、機器２０−１乃至２０−ｎは、規定されているようにして反応する。その後、制御装置３０は、ステップＳ３０４に戻る。
【００３３】
第３実施例においてプロシージャのステップ数を減らすため、上記の停止基準ｂ）は以下のように実施され得る。ステップＳ３０２において、制御装置３０は、更に、カウンタｊを１に設定する。ステップＳ３０４において、制御装置３０は、更に、カウンタｊを１だけ増やす。ステップＳ３０７において、制御装置は、更に、ｊの値が或るしきい値未満であるかどうかをチェックし、そうでない場合には、プロシージャは停止する。
【００３４】
第４実施例においては、制御装置３０は、まず、Ｐｃ＞Ｐｔであるかどうかをチェックする。そうでない場合には、プロシージャは停止する。
【００３５】
Ｐｃ＞Ｐｔである場合には、制御装置は、トリムレベルｔｃ＝Ｐｔ／Ｐｂを機器２０−１乃至２０−ｎにブロードキャストする。次に、機器は、規定されているようにして反応する。その後、中央制御装置３０は、総システム電力消費量Ｐｃを取得する。次いで、第３実施例のステップＳ３０２乃至Ｓ３０９が適用される。
【００３６】
トリミングレベルの大きな変化は、人間にとって不快である光量変化をもたらし得る。この作用を減らすため、上記の第１乃至第４実施例の各々において、新しいトリムレベル値ｔｎの計算は、以下のように修正され得る。
【００３７】
ｔｈｒｄ＿ｕｐ及びｔｈｒｄ＿ｄｏｗｎをしきい値であるとする。各ステップにおいて、ｔｎを前の通り計算する。ｔｎ＞ｔｃ＋ｔｈｒｄ＿ｕｐである場合には、ｔｎをｔｃ＋ｔｈｒｄ＿ｕｐと規定し直す。ｔｎ＜ｔｃーｔｈｒｄ＿ｄｏｗｎである場合には、ｔｎをｔｃ＋ｔｈｒｄ＿ｄｏｗｎと規定し直す。
【００３８】
それによって、その後のトリミングステップの間のトリムレベル値（即ち、電力変更情報）の変化は、上記のしきい値までに制限され得る。
【００３９】
更に、他のソフトウェアベースの実施においては、必要とされる機能は、メモリに記憶される制御プログラムのソフトウェアルーチンに基づいて制御を実施する処理ユニットを備える制御装置３０のコンピュータデバイスにおいて実施され得る。制御プログラムは、別個に、コンピュータ読み出し可能な媒体に記憶されてもよい。図２及び３に関連して記載したステップの機能を実施するために、プログラムコードインストラクションが、メモリからフェッチされ、処理ユニットの制御ユニットにロードされる。これは、上述のようなソフトウェアルーチンとして実施され得る。処理ステップは、入力データに基づいて実施されてもよく、出力データを生成してもよい。本電力制御メカニズムにおいては、入力データは、決定される電力消費量レベルに対応してもよく、出力データは、トリムコマンドに対応してもよい。
【００４０】
従って、上記の実施例の機能は、コンピュータデバイス又はデータプロセッサにおいて走らせる場合に提案チャネル推定の個々のステップをもたらすためのコード手段を有するコンピュータプログラム製品として実施され得る。
【００４１】
要約すると、あらゆる電力削減の「公平な分配」を備え、「シーソー」効果のない、段階的で、迅速な収束方法で、正確に目標消費量レベルに到達するために、制御装置と機器又は負荷との間のブロードキャスト媒体、及びシステムの現在の総電力消費量についての情報しか必要としない、制御システムによって電力分配を制御するための方法及び装置が記載されている。
【００４２】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。本発明の提案アプリケーションは、スマート照明制御システム、建物制御アプリケーション及びスマートグリッド建物管理システムのための電力分配であり得る。
【００４３】
当業者は、請求項記載の発明の実施において、図面、明細及び添付の請求項の研究から、開示されている実施例に対する他の変形を、理解し、達成することができる。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
2015530070.tif 000003
【図２】
2015530070.tif 000004
【図３】
2015530070.tif 000005
【国際調査報告】
2015530070.tif 000006
2015530070.tif 000007
2015530070.tif 000008